(57)【要約】【課題】送信手段に割り当てられたＩＤ番号の登録、消去時の作業が分かり易いスイッチ装置を提供する。【解決手段】スイッチ装置１は、造営材に配設される器体と、器体に設けられ、操作に応じて操作信号を出力する操作スイッチ１４と、送信手段から送信されるワイヤレス信号を受信するワイヤレス信号送受信部１３と、商用交流電源ＡＣから照明負荷Ｌへの給電路に介装されるスイッチ要素と、上記操作信号またはワイヤレス信号に応じてスイッチ要素を開閉させる制御部１０および負荷制御部１１からなる制御手段と、制御部１０の動作モードを上記送信手段に割り当てられたＩＤ番号を登録する登録モードに切り替えるための登録ボタン１６と、登録モードにおける動作状態を表示するための表示手段とを備え、表示手段は、制御部１０の動作モードが登録モードに切り替えられると点灯し、上記ワイヤレス信号に含まれるＩＤ番号が登録されると所定周期で点滅する。【選択図】図１
2010198982.tif 000002
【特許請求の範囲】
【請求項１】
造営材に配設される器体と、当該器体に設けられ、操作に応じて操作信号を出力する操作スイッチと、電波または光を媒体として送信手段から送信されるワイヤレス信号を受信する受信手段と、電源から負荷への給電路に介装される開閉手段と、前記操作スイッチから出力される操作信号または前記受信手段で受信したワイヤレス信号に応じて前記開閉手段を開閉させる制御手段と、当該制御手段の動作モードを前記送信手段に割り当てられたＩＤ番号を登録する登録モードに切り替えるための登録ボタンと、前記登録モードにおける動作状態を表示するための表示手段とを備え、前記表示手段は、前記制御手段の動作モードが前記登録モードに切り替えられると第１の表示モードで動作表示を行い、前記受信手段で受信したワイヤレス信号に含まれる前記ＩＤ番号が登録されると前記第１の表示モードと異なる第２の表示モードで動作表示を行うことを特徴とするスイッチ装置。
【請求項２】
前記表示手段は、前記ＩＤ番号の登録数が既定数に達している状態で前記登録ボタンが操作されると、前記第１および第２の表示モードと異なる第３の表示モードで動作表示を行うことを特徴とする請求項１記載のスイッチ装置。
【請求項３】
前記表示手段は、前記第１または第２の表示モードの何れか一方では点灯し、他方では所定周期で点滅することを特徴とする請求項２項記載のスイッチ装置。
【請求項４】
前記表示手段は、前記第３の表示モードでは前記所定周期と異なる周期で点滅することを特徴とする請求項３記載のスイッチ装置。
【請求項５】
前記制御手段は、前記登録ボタンと前記操作スイッチとが同時に操作されると、登録された前記ＩＤ番号を一括して消去することを特徴とする請求項１〜４の何れか１項に記載のスイッチ装置。
【請求項６】
前記器体の前面側に揺動自在に配置され、操作に応じて裏面で前記操作スイッチをオン／オフさせる操作ハンドルを備え、前記登録ボタンは、前記操作ハンドルの裏面側において前記器体に設けられることを特徴とする請求項１〜５の何れか１項に記載のスイッチ装置。
【発明の詳細な説明】
【技術分野】
【０００１】
本発明は、スイッチ装置に関するものである。
【背景技術】
【０００２】
従来より、照明負荷などをオン／オフするためのスイッチ装置が提供されている（例えば特許文献１参照）。このスイッチ装置は、造営材（例えば壁面など）に埋込配設される器体と、器体の前面側に配置される操作ハンドルと、操作ハンドルの操作に応じて操作信号を出力する操作スイッチと、送信手段（例えば火災警報器など）から送信されるワイヤレス信号を受信するワイヤレス信号受信部と、電源から照明負荷への給電路に介装されるスイッチ要素（例えばトライアックなど）と、上記操作信号またはワイヤレス信号に応じてスイッチ要素を開閉することで照明負荷への給電をオン／オフさせる制御部とを備えている。
【先行技術文献】
【特許文献】
【０００３】
【特許文献１】特開２００６−２５３０９２号公報（段落［００３０］−段落［００３７］、及び、第２図−第４図）
【発明の概要】
【発明が解決しようとする課題】
【０００４】
上述のスイッチ装置を用いた負荷制御システムでは、送信手段をスイッチ装置に対応付けるために、送信手段に割り当てられたＩＤ番号を対応するスイッチ装置に登録させているが、従来のスイッチ装置ではＩＤ番号が登録されたことを表示する機能が設けられておらず、したがってシステムを作動させるまでＩＤ番号が登録されたか否かが分からなかった。また、従来のスイッチ装置には、登録されたＩＤ番号を消去する際に片手で簡単に操作できるものはなかった。
【０００５】
本発明は上記問題点に鑑みて為されたものであり、その目的とするところは、送信手段に割り当てられたＩＤ番号の登録、消去時の作業が分かり易いスイッチ装置を提供することにある。
【課題を解決するための手段】
【０００６】
請求項１の発明は、造営材に配設される器体と、当該器体に設けられ、操作に応じて操作信号を出力する操作スイッチと、電波または光を媒体として送信手段から送信されるワイヤレス信号を受信する受信手段と、電源から負荷への給電路に介装される開閉手段と、操作スイッチから出力される操作信号または受信手段で受信したワイヤレス信号に応じて開閉手段を開閉させる制御手段と、当該制御手段の動作モードを送信手段に割り当てられたＩＤ番号を登録する登録モードに切り替えるための登録ボタンと、登録モードにおける動作状態を表示するための表示手段とを備え、表示手段は、制御手段の動作モードが登録モードに切り替えられると第１の表示モードで動作表示を行い、受信手段で受信したワイヤレス信号に含まれるＩＤ番号が登録されると第１の表示モードと異なる第２の表示モードで動作表示を行うことを特徴とする。
【０００７】
請求項２の発明は、表示手段は、ＩＤ番号の登録数が既定数に達している状態で登録ボタンが操作されると、第１および第２の表示モードと異なる第３の表示モードで動作表示を行うことを特徴とする。
【０００８】
請求項３の発明は、表示手段は、第１または第２の表示モードの何れか一方では点灯し、他方では所定周期で点滅することを特徴とする。
【０００９】
請求項４の発明は、表示手段は、第３の表示モードでは所定周期と異なる周期で点滅することを特徴とする。
【００１０】
請求項５の発明は、制御手段は、登録ボタンと操作スイッチとが同時に操作されると、登録されたＩＤ番号を一括して消去することを特徴とする。
【００１１】
請求項６の発明は、器体の前面側に揺動自在に配置され、操作に応じて裏面で操作スイッチをオン／オフさせる操作ハンドルを備え、登録ボタンは、操作ハンドルの裏面側において器体に設けられることを特徴とする。
【発明の効果】
【００１２】
請求項１の発明によれば、送信手段に割り当てられたＩＤ番号が登録されると表示手段が第２の表示モードで動作表示を行うので、利用者は表示手段の表示を確認することによってＩＤ番号の登録の可否を容易に知ることができ、また１つの表示手段で登録モードへの切替時とＩＤ番号の登録完了時を識別できるので、表示手段を個別に設けた場合に比べてコストアップを抑えることができるという効果がある。
【００１３】
請求項２の発明によれば、ＩＤ番号の登録数が既定数に達している状態で登録ボタンが押されると表示手段が第３の表示モードで動作表示を行うので、利用者は表示手段の表示を確認することによって既定数の送信手段が登録されていることを知ることができ、また１つの表示手段で登録モードへの切替時やＩＤ番号の登録完了時と識別できるので、表示手段を個別に設けた場合に比べてコストアップを抑えることができるという効果がある。
【００１４】
請求項３の発明によれば、請求項１と同様の効果が得られる。
【００１５】
請求項４の発明によれば、請求項２と同様の効果が得られる。
【００１６】
請求項５の発明によれば、ＩＤ番号を消去するための手段を別に設けなくてもいいので、コストアップを抑えることができるという効果がある。
【００１７】
請求項６の発明によれば、登録ボタンを操作ハンドルの裏面側の器体に設けているので、登録したＩＤ番号を一括消去する際には、操作ハンドルを外した状態で登録ボタンと操作スイッチの両方を片手で簡単に操作することができ、また操作ハンドルを取り付けた状態では登録ボタンの誤操作を防止することもできるという効果がある。
【図面の簡単な説明】
【００１８】
【図１】本実施形態のスイッチ装置の概略ブロック図である。
【図２】同上の斜視図である。
【図３】同上から操作ハンドルを取り外した状態の斜視図である。
【図４】同上を用いた負荷制御システムのシステム構成図である。
【図５】（ａ）は従来のスイッチ装置の動作を説明するタイミングチャート、（ｂ）は本実施形態のスイッチ装置の動作を説明するタイミングチャートである。
【図６】（ａ）は従来のスイッチ装置の別の動作を説明するタイミングチャート、（ｂ）は本実施形態のスイッチ装置の別の動作を説明するタイミングチャートである。
【図７】本実施形態のスイッチ装置の動作を説明するフローチャートである。
【発明を実施するための形態】
【００１９】
本発明に係るスイッチ装置の実施形態を図１〜図７に基づいて説明する。本発明に係るスイッチ装置は、例えば照明などの負荷をオン／オフするための装置であって、図４に示すような負荷制御システムを構成するものであり、例えば火災を感知して警報を発する火災警報器２Ａ〜２Ｃや、負荷を遠隔操作するための操作端末器３や、インターホン子機５との間でインターホンシステムを構成するインターホン親機４から送信されるワイヤレス信号に応じて照明負荷Ｌを点灯または消灯させる。ここに、本実施形態では、火災警報器２Ａ〜２Ｃ、操作端末器３およびインターホン親機４により送信手段が構成されているが、送信手段はこれらのものに限定されるものではない。
【００２０】
本実施形態のスイッチ装置１は、図１に示すようにマイクロコンピュータを主構成要素とする制御部１０と、商用交流電源ＡＣから照明負荷Ｌへの給電路に介装されたスイッチ要素（例えばリレーや半導体スイッチング素子など）を駆動する負荷制御部１１と、アンテナ１２を介して電波を媒体とするワイヤレス信号を受信および送信するワイヤレス信号送受信部（受信手段）１３と、後述する器体に設けられ、操作に応じて操作信号を出力する操作スイッチ１４と、制御部１０の動作モードを上記の送信手段に割り当てられたＩＤ番号を登録する登録モードに切り替えるための登録ボタン１６と、登録されたＩＤ番号を記憶させるための記憶部１７と、商用交流電源ＡＣから給電されて各部の動作電源を生成する電源部１５とを備えている。
【００２１】
制御部１０は、操作スイッチ１４から出力される操作信号に応じて負荷制御部１１に制御信号を出力する。また、制御部１０は、上記の火災警報器２Ａ〜２Ｃ、操作端末器３またはインターホン親機４から送信されるワイヤレス信号をワイヤレス信号送受信部１３で受信し、受信したワイヤレス信号に含まれる情報（例えば火災感知情報や負荷制御情報など）に応じて負荷制御部１１に制御信号を出力する。そして、負荷制御部１１では、制御部１０から出力される制御信号に応じて上記のスイッチ要素を駆動し、照明負荷Ｌを点灯または消灯させる。ここに、本実施形態では、上記のスイッチ要素により開閉手段が構成され、また制御部１０および負荷制御部１１により制御手段が構成されている。
【００２２】
また、ワイヤレス信号送受信部１３は、電波法施行規則第６条第４項第２号に規定される「テレメーター用、テレコントロール用およびデータ伝送用の特定小電力無線局」に準拠して電波を媒体とするワイヤレス信号を送受信するものである。
【００２３】
ここで、図２および図３は本実施形態のスイッチ装置１の外観斜視図であり、本スイッチ装置１は、例えばＪＩＳ等で規格化された埋込型配線器具用の取付枠９に取り付けられた状態で造営材（例えば壁面など）に埋込配設される。
【００２４】
取付枠９は、縦長の矩形枠状に形成された金属製の取付枠であって、中央部には矩形状の開口部が設けられている。また、取付枠９の長手方向（図３中の上下方向）に沿う両側壁には、２個１組の嵌合孔９ａ，９ａが長手方向にそれぞれ３組ずつ設けられている。さらに、取付枠９の長手方向における両端部には取付片９ｂ，９ｂがそれぞれ延設されており、各取付片９ｂには埋込ボックス（図示せず）にねじ固定するためのねじを挿通させる長孔９ｃと、取付枠９を造営材に直付けするための取付ねじを挿通させる２個１組の挿通孔９ｄ，９ｄとがそれぞれ設けられている。
【００２５】
スイッチ装置１は、前面が開口する矩形箱状の合成樹脂成形品からなるボディ６と、後面（ボディ６側）が開口する矩形箱状の合成樹脂成形品からなり、ボディ６の開口を閉塞する形でボディ６に被着されるカバー７と、カバー７の前面側に揺動自在に取着されるピアノハンドル式の操作ハンドル８（図２参照）とを備え、ボディ６とカバー７とを組み合わせることで器体が組み立てられる。
【００２６】
ここで、器体（ボディ６およびカバー７）の内部には、図示しないプリント基板が収納される。このプリント基板には、発光ダイオードからなる表示灯ＬＤ１，ＬＤ２が実装されるとともに、上述の操作スイッチ１４や登録ボタン１６が実装されている。一方、カバー７において表示灯ＬＤ１，ＬＤ２に対応する部位には、矩形状の開口窓７ｄ，７ｃがそれぞれ貫設されており、表示灯ＬＤ１，ＬＤ２からの光が開口窓７ｄ，７ｃを通して前方に照射されるようになっている。また、カバー７において操作スイッチ１４に対応する部位には、当該操作スイッチ１４を押操作するためのＴ字状の操作片７ａが一体に設けられ、さらに登録ボタン１６に対応する部位には、当該登録ボタン１６を押操作するための円筒状の操作片７ｂが一体に設けられている。
【００２７】
ここにおいて、操作片７ａは、操作片７ｂよりも前方に突出する形で設けられており、操作片７ａが操作ハンドル８によって押された状態において、操作片７ｂは操作ハンドル８によって押されないようになっている。なお、操作片７ｂについては、図３に示すようにカバー７の前面よりも突出しないように設けるのがより好ましい。
【００２８】
なお、これらの操作片７ａ，７ｂはともに弾性を有し、押圧力を取り除いた状態では元の位置に復帰するようになっており、操作片７ａ，７ｂを復帰させた状態では操作スイッチ１４および登録ボタン１６はともにオフになる。また、表示灯ＬＤ１は照明負荷Ｌの消灯時に点灯して本スイッチ装置１の位置を表示するためのものであり、表示灯ＬＤ２は上記の登録モードに切り替えられたことや、対応する送信手段のＩＤ番号が登録されたことを表示するためのものである。
【００２９】
操作ハンドル８は、図２に示すように縦長の矩形板状の合成樹脂成形品からなり、操作ハンドル８の短幅方向における一端側（図２中の左側）には軸受部（図示せず）が後面側に設けられており、カバー７に設けた軸部７ｅ，７ｅ（図３参照）を当該軸受部に軸支させることによって、操作ハンドル８が器体に対して揺動自在に支持されるとともに着脱自在になっている。さらに、操作ハンドル８の短幅方向における他端側（図２中の右側）には、カバー２に設けた係止溝７ｆ，７ｆ（図３参照）にそれぞれ係止される一対の係止片（図示せず）が後面側に突設されており、各係止片をそれぞれ対応する係止溝７ｆに係止させることによって、操作ハンドル８の前方への移動が所定のストロークに規制される。すなわち、操作ハンドル８は、一端側を支点にして器体に対して所定のストロークの範囲内で揺動自在になっている。
【００３０】
また、操作ハンドル８において開口窓７ｄに対応する部位には、横長の矩形状の開口窓８ａが貫設されており、表示灯ＬＤ１からの光が開口窓８ａを通して前方に照射されるようになっている。すなわち、表示灯ＬＤ１からの光は、操作ハンドル８をカバー７に取り付けた状態でも前面側から視認できるようになっている。一方、操作ハンドル８において開口窓７ｃに対応する部位には開口窓が設けられておらず、したがって表示灯ＬＤ２からの光は、操作ハンドル８をカバー７から取り外した状態でのみ前面側から視認できるようになっている。
【００３１】
なお、操作ハンドル８の短幅方向における他端側の中央部には、当該操作ハンドル８の押圧位置を示す突起８ｂが設けられており、また上記の操作片７ａに対応する操作ハンドル８の裏面には、当該操作片７ａを押圧するための押圧突起（図示せず）が設けられている。そして、操作ハンドル８を押操作することで上記押圧突起により操作片７ａが後方に押され、さらに操作片７ａにより操作スイッチ１４が後方に押されてオンになる。このとき、上述のように操作片７ｂは操作ハンドル８によって後方に押されないから、登録ボタン１６はオンにならない。
【００３２】
ここで、図５はスイッチ装置の動作を説明するためのタイミングチャートであり、例えば従来のスイッチ装置では、図５（ａ）に示すように時刻ｔ１のときに押された登録ボタン１６が所定時間Ｔ１（例えば２秒）継続して押されると、時刻ｔ２のときに制御部１０の動作モードが登録モードに切り替えられ、このとき表示灯（表示手段）ＬＤ２が点灯して登録モードに切り替えられたことを表示する。その後、時刻ｔ３のときに上記の送信手段から送信されたワイヤレス信号をワイヤレス信号送受信部１３により受信すると、制御部１０はこのワイヤレス信号に含まれるＩＤ番号を自己に割り当てられた送信手段として記憶部１７に登録するのであるが、従来のスイッチ装置ではＩＤ番号の登録が完了したことが表示されない（すなわち、表示灯ＬＤ２が点灯したままである）。
【００３３】
一方、本実施形態のスイッチ装置１では、自己に割り当てられた送信手段のＩＤ番号が記憶部１７に登録されたことを表示灯ＬＤ２により識別できるようになっており、例えば時刻ｔ３のときにワイヤレス信号を受信し、このワイヤレス信号に含まれるＩＤ番号の記憶部１７への登録が完了すると表示灯ＬＤ２を所定周期で点滅させている（図５（ｂ）参照）。したがって、利用者は表示灯ＬＤ２の表示を確認することによってＩＤ番号の登録の可否を容易に知ることができるのである。なお、本実施形態では、所定時間以上継続して登録ボタン１６を押した場合に制御部１０の動作モードを登録モードに切り替えているが、これは誤動作を防止するために長押しするようにしたものであり、登録モードに切り替える際の登録ボタン１６の押時間は本実施形態に限定されるものではなく、短くてもよい。ここに、本実施形態では、制御部１０の動作モードが上記登録モードに切り替えられたときの表示灯ＬＤ２の点灯表示が第１の表示モードであり、送信手段のＩＤ番号登録が完了したときの表示灯ＬＤ２の点滅表示が第２の表示モードである。なお、本実施形態のスイッチ装置１では、上述した操作スイッチ１４と登録ボタン１６とを同時に操作することによって、記憶部１７に登録したＩＤ番号が一括して消去される。
【００３４】
次に、図６はスイッチ装置の別の動作を説明するためのタイミングチャートであり、１台のスイッチ装置に登録できる送信手段の台数は、メモリ容量との関係から記憶部１７に記憶させることのできる既定数（例えば１０台まで）が決められており、それ以上の送信手段は登録できないようになっている。そして、従来のスイッチ装置において、既定数の送信手段が記憶部１７に登録されている状態で次の送信手段からのワイヤレス信号が送信された場合には、この送信手段に対応するＩＤ番号は記憶部１７に登録されないのであるが、この段階では利用者は登録されていないことを知らないため、システムを動作させた際に登録されていない（すなわち、既定数のＩＤ番号が記憶部１７に登録されている）ことに初めて気付くことになる。
【００３５】
一方、本実施形態のスイッチ装置１では、記憶部１７に登録したＩＤ番号が既定数に達している状態で登録ボタン１６により登録モードに切り替えようとした場合、登録モードには切り替えられず、表示灯ＬＤ２を点滅させてＩＤ番号の登録数が既定数に達していることを利用者に知らせるようになっている（図６（ｂ）参照）。なお、このときの点滅周期は、ＩＤ番号登録完了時と識別できるように異なる周期で点滅するようになっており、本実施形態では、このときの表示灯ＬＤ２の点滅表示が第３の表示モードである。
【００３６】
ここで、上記動作について、図５（ｂ）および図６（ｂ）のタイミングチャートならびに図７のフローチャートを参照しながら説明する。まず、時刻ｔ１のときに登録ボタン１６が押されてから所定時間Ｔ１（例えば２秒）が経過すると（ステップＳ１）、制御部１０は記憶部１７に登録されたＩＤ番号が既定数に達しているか否かを判断し（ステップＳ２）、ＩＤ番号の登録数が既定数に達している場合には表示灯ＬＤ２を点滅させて利用者に知らせる（ステップＳ６）。一方、ＩＤ番号の登録数が既定数に達していない場合には、制御部１０は表示灯ＬＤ２を点灯させて利用者に登録モードに切り替わったことを知らせる（ステップＳ３）。次に、時刻ｔ３のときにワイヤレス信号送受信部１３がワイヤレス信号を受信すると（ステップＳ４）、制御部１０はこのワイヤレス信号に含まれるＩＤ番号を記憶部１７に登録するとともに、表示灯ＬＤ２を点滅させて利用者にＩＤ番号の登録が完了したことを知らせる（ステップＳ５）。
【００３７】
次に、本スイッチ装置１の動作について説明するが、まず操作ハンドル８を操作して照明負荷Ｌを点灯または消灯させる場合について説明する。照明負荷Ｌが消灯している状態から操作ハンドル８を押操作すると、操作片７ａにより操作スイッチ１４が後方に押されてオンになり、制御部１０に対して操作信号が出力される。そして、制御部１０はこの操作信号を受け取ると、照明負荷Ｌを点灯させる制御信号を負荷制御部１１に対して出力し、負荷制御部１１がこの制御信号に応じてスイッチ要素をオン駆動することで照明負荷Ｌが点灯する。さらに、照明負荷Ｌが点灯している状態から操作ハンドル８を押操作すると、同様に操作片７ａにより操作スイッチ１４が後方に押されてオンになり、制御部１０に対して操作信号が出力される。そして、制御部１０はこの操作信号を受け取ると、照明負荷Ｌを消灯させる制御信号を負荷制御部１１に対して出力し、負荷制御部１１がこの制御信号に応じてスイッチ要素をオフ駆動することで照明負荷Ｌが消灯する。
【００３８】
続けて、上記の送信手段（例えば火災警報器２Ａ）から送信されるワイヤレス信号に応じた動作について説明する。照明負荷Ｌが消灯している状態において、火災警報器２Ａから送信されたワイヤレス信号をワイヤレス信号送受信部１３により受信すると、制御部１０は受信したワイヤレス信号に含まれるＩＤ番号が記憶部１７に記憶したＩＤ番号と一致するか否かを判断し、一致する場合にはこのワイヤレス信号に含まれる火災感知情報を受け取る。そして、制御部１０は、受け取った火災感知情報に応じて照明負荷Ｌを点灯させる制御信号を負荷制御部１１に対して出力し、負荷制御部１１がこの制御信号に応じてスイッチ要素をオン駆動することで照明負荷Ｌが点灯する。
【００３９】
一方、受信したワイヤレス信号に含まれるＩＤ番号が記憶部１７に記憶したＩＤ番号と一致しない場合には、制御部１０は上記火災感知情報を受け取らないため、以下の動作が実行されず、照明負荷Ｌは消灯したままの状態を維持する。なお、送信手段が他のものであっても、同様の処理が行われて照明負荷Ｌが点灯または消灯することになる。
【００４０】
而して、本実施形態によれば、送信手段に割り当てられたＩＤ番号が記憶部１７に登録されると表示灯（表示手段）ＬＤ２が所定周期で点滅するので、利用者は表示灯ＬＤ２の表示を確認することによってＩＤ番号の登録の可否を容易に知ることができ、また１つの表示灯ＬＤ２で登録モードへの切替時とＩＤ番号の登録完了時を識別できるので、表示手段を個別に設けた場合に比べてコストアップを抑えることができる。さらに、本実施形態では、ＩＤ番号の登録数が既定数に達している状態で登録ボタン１６が操作されると、表示灯ＬＤ２が上記の所定周期と異なる周期で点滅するので、利用者は表示灯ＬＤ２の表示を確認することによって既定数の送信手段が登録されていることを知ることができ、また１つの表示灯ＬＤ２で登録モードへの切替時やＩＤ番号の登録完了時と識別できるので、さらにコストアップを抑えることができる。
【００４１】
また、本実施形態によれば、ＩＤ番号を消去するための手段を別に設けなくてもいいので、コストアップを抑えることができ、さらに登録ボタン１６を操作ハンドル８の裏面側の器体に設けているので、登録したＩＤ番号を一括消去する際には、操作ハンドル８を外した状態で登録ボタン１６と操作スイッチ１４の両方を片手で簡単に操作することができ、また操作ハンドル８を取り付けた状態では登録ボタン１６の誤操作を防止することもできる。
【００４２】
なお、本実施形態では、表示灯ＬＤ２の第１の表示モードが点灯、第２の表示モードが点滅、第３の表示モードが第２の表示モードと異なる周期で点滅の場合について説明したが、第１〜第３の表示モードの間で利用者が識別できるようになっていればよく、上記の点灯パターンに限定されない。また、表示パターンについても本実施形態に限定されるものではなく、例えば各表示モードごとに異なる色で発光するようにしてもよい。さらに、表示手段は発光ダイオードに限定されるものではなく、例えば各動作状態に合わせて文字等で表示するようなものであってもよい。
【００４３】
また、本実施形態では、電波を媒体とするワイヤレス信号の場合を例に説明したが、ワイヤレス信号は本実施形態に限定されるものではなく、例えば光を媒体とするものであってもよい。さらに、本実施形態では、操作スイッチ１４をオン／オフするための操作ハンドル８を設けているが、必ずしも操作ハンドルを設けなくてもよく、例えば直接操作スイッチをオン／オフするようにしてもよい。
【符号の説明】
【００４４】
１  スイッチ装置
２Ａ〜２Ｃ  火災警報器（送信手段）
３  操作端末器（送信手段）
４  インターホン親機（送信手段）
１０  制御部（制御手段）
１１  負荷制御部（制御手段）
１３  ワイヤレス信号送受信部（受信手段）
１４  操作スイッチ
１６  登録ボタン
ＬＤ２  表示灯（点灯表示手段）
ＡＣ  商用交流電源
Ｌ  照明負荷
【図１】
2010198982.tif 000003
【図２】
2010198982.tif 000004
【図３】
2010198982.tif 000005
【図４】
2010198982.tif 000006
【図５】
2010198982.tif 000007
【図６】
2010198982.tif 000008
【図７】
2010198982.tif 000009